(57)【要約】      （修正有）【課題】壁面に取り付けられる筐体において、取り付け及び取り外しが容易であり、かつ筐体の保持力に優れる取付金具付き筐体を提供する。【解決手段】電子機器を収容する本体部２と、該本体部２を壁面に取り付けるための取付具３とからなる取付具付き筐体１であって、前記本体部２は、線状の第１ガイド溝及び線状の第２ガイド溝を背面に備え、前記取付具３は、前記第１ガイド溝にスライド可能に嵌入される第１保持部と、前記第２ガイド溝にスライド可能に嵌入される第２保持部とを備える。【選択図】図１
2010067631.tif 000002
【特許請求の範囲】
【請求項１】
電子機器を収容する本体部と、該本体部を壁面に取り付けるための取付具とからなる取付具付き筐体であって、
前記本体部は、線状の第１ガイド溝及び線状の第２ガイド溝を背面に備え、
前記取付具は、前記第１ガイド溝にスライド可能に嵌入される第１保持部と、前記第２ガイド溝にスライド可能に嵌入される第２保持部とを備え、
前記第１保持部及び前記第２保持部はそれぞれ、ビスが挿通される孔を有するビス受座と、該ビス受座を挟んで前記スライドする方向に沿って設けられる一対のガイド部とを備え、
前記ビス受座は、前記スライドする方向に垂直な方向の長さが前記ビスの軸部の径よりも大きく且つ前記ビスの頭部の径よりも小さく、前記孔にビスを挿通したとき、該ビスの頭部の頂点を前記一対のガイド部の頂点位置よりも低い位置に維持し、
前記第１ガイド溝は前記第１保持部を収納する第１収納部を一端側に備え、該第１収納部は、前記第１保持部の前記ビス受座の孔に挿通されたビス頭部の裏面である座面の一部に対する当接面を備え、
前記第２ガイド溝は前記第２保持部を収納する第２収納部を一端側に備え、該第２収納部は、前記第２保持部の前記ビス受座の孔に挿通されたビス頭部の裏面である座面の一部に対する当接面を備える、
取付具付き筐体。
【請求項２】
前記第１ガイド溝と前記第２ガイド溝が一列に配列されており、壁面への取り付けの際、前記本体部は下方にスライドされて固定されることを特徴とする、請求項１に記載の取付具付き筐体。
【請求項３】
前記本体部がその下面に、前記取付具の前記第１保持部が嵌入される第１凹部と、前記取付具の前記第２保持部が嵌入される第２凹部と、を備えていることを特徴とする、請求項１又は２に記載の取付具付き筐体。
【発明の詳細な説明】
【技術分野】
【０００１】
本発明は電子機器（ハードディスクドライブ、無線ＬＡＮ装置、ターミナルアダプター装置、ルーター装置等）を収容可能な筐体に関する。詳しくは、壁面への取り付けが可能な取付具付き筐体の改良に関する。
【背景技術】
【０００２】
従来、内部に電子機器を収容可能な筐体は、床面や机上に載置されたり（いわゆる縦置きや横置き）、壁に取り付け（いわゆる壁掛け）されたりする。例えば、筐体の底面（下面）や背面（裏面）にスタンドを取り付けることにより筐体を床面等に安定して載置することが行われている。また、壁に直接ビス等を取り付け、筐体の背面に設けた凹部又は孔にビスの頭部を引っ掛けることにより筐体を壁面に取り付けることも行われている。さらに、２種類以上の載置態様を実現できるものもある。例えば、特許文献１には、縦置き、横置き、壁掛けのいずれの態様も選択可能な筐体保持用のスタンドが開示されている。この例では、凸部を有する同一形状の１組の樹脂製スタンドを使用する。そして筐体の側面、前面及び背面に孔を設けて、各スタンドの凸部を筐体の孔に挿入するとともに当該スタンドで筐体を挟み込むという保持構造を備えることにより、縦置き、横置き及び壁掛けのいずれの設置態様も選択可能としている。特許文献２には、筐体に底面と側面に跨る開口部と天面と側面に跨る開口部を設けて、係る開口部に連結される係止側片を備える取付具により、卓上面若しくは壁面に取り付けられる取付具付き筐体が開示されている。かかる筐体では、開口部が天面、底面及び側面のいずれにも設けられており、取付具をこれらのいずれの面にも取り付けが可能であるため、縦置き、横置き及び壁掛けのいずれの設置態様も選択可能となる。
【特許文献１】特開２００５−１５７８３４号公報
【特許文献２】特許第３４６５２３１号公報
【発明の開示】
【発明が解決しようとする課題】
【０００３】
従来技術のように、壁に取り付けたビスを利用して筐体を取り付ける方法では、通常、複数のビスを使用する。そのため、筐体の凹部又は孔の位置に合わせてビスの取り付け位置（ビスの間隔）を調整する必要があり取り付けにくい。さらに筐体を取り付ける際はビスと凹部が見えづらいため取り付けにくい。また、ビスが金属製の場合は、取り付けの際に凹部周辺にビス頭部が接触し、筐体に傷がつくことがある。このような傷は筐体の破損、保持力の低下を引き起こすため好ましくない。特に筐体が樹脂製の場合には、この問題が顕著になる。一方、樹脂製のスタンドを使用する特許文献１の構成では、筐体に大きな力が加わると樹脂製スタンドの凸部が破損する虞がある。特に壁掛け状態でこのような破損が生じると、筐体の破損や収容する電子機器の故障を招く。また、当該スタンドは２個の部材を一組として使用するものであるから、壁掛けの場合にはそれぞれの部材を筐体背面の凹部の位置に合わせて取り付ける必要があり、取り付け作業が煩雑となる。特許文献２の構成では、取付具を樹脂製とすれば、特許文献１と同様に、係止側片の破損の虞があることに加え、取付具を金属製とした場合においては、取り付けの際に係止側片が筐体に接触することにより筐体に傷がつきやすい。また、この構成においても、取付具は２個の部材からなり、壁掛けの場合にはその位置決めが必要となる。
そこで、本発明は壁に取り付けられる筐体において、取り付け及び取り外しが容易であり、かつ、壁への筐体の保持力に優れる構成を提供することを課題とする。
【課題を解決するための手段】
【０００４】
以上の課題を解決するため、本発明の第１の構成は次の通りである。即ち、
電子機器を収容する本体部と、該本体部を壁面に取り付けるための取付具とからなる取付具付き筐体であって、
前記本体部は、線状の第１ガイド溝及び線状の第２ガイド溝を背面に備え、
前記取付具は、前記第１ガイド溝にスライド可能に嵌入される第１保持部と、前記第２ガイド溝にスライド可能に嵌入される第２保持部とを備え、
前記第１保持部及び前記第２保持部はそれぞれ、ビスが挿通される孔を有するビス受座と、該ビス受座を挟んで前記スライドする方向に沿って設けられる一対のガイド部とを備え、
前記ビス受座は、前記スライドする方向に垂直な方向の長さが前記ビスの軸部の径よりも大きく且つ前記ビスの頭部の径よりも小さく、前記孔にビスを挿通したとき、該ビスの頭部の頂点を前記一対のガイド部の頂点位置よりも低い位置に維持し、
前記第１ガイド溝は前記第１保持部を収納する第１収納部を一端側に備え、該第１収納部は、前記第１保持部の前記ビス受座の孔に挿通されたビス頭部の裏面である座面の一部に対する当接面を備え、
前記第２ガイド溝は前記第２保持部を収納する第２収納部を一端側に備え、該第２収納部は、前記第２保持部の前記ビス受座の孔に挿通されたビス頭部の裏面である座面の一部に対する当接面を備える、
取付具付き筐体である。
【０００５】
本発明の取付具付き筐体は、第１保持部及び第２保持部は孔を有する受座を備える。取り付けの際、まず、当該受座の孔を介してビスにより取付具を壁面に固定する。そして、本体部の第１ガイド溝に取付具の第１保持部を、第２ガイド溝に第２保持部をそれぞれ嵌入させた後、本体部をスライドさせて本体部を壁面に固定する。即ち、取付具に対してスライドさせるだけで本体部を取り付けることができる。取り外す際は本体部を取り付け時と反対方向にスライドさせるだけでよい。このように本体部の取り付け及び取り外しが容易である。また、第１保持部及び第２保持部の受座が有する孔を利用して取付具をビス止めするため、ビスの取り付け位置（ビスの間隔）の調整が不要である。そのため取り付け作業が容易となる。さらに、ビスの頭部は、第１保持部において、ガイド部の頂点位置よりも低い位置にあるため、本体部の取り付け時において、ビスの頭部が本体部の背面に直接接触せず、本体部の背面に傷をつけない。
本体部を取り付けたとき、第１保持部は第１収納部に、第２保持部は第２収納部にそれぞれ収納される。ここで、第１保持部のビス受座の孔に挿通されたビス頭部の裏面である座面が第１収納部の当接面に当接するように、第１保持部のビス受座によりビスが所定高さに維持されている。同様に、第２保持部のビス受座の孔に挿通されたビス頭部の裏面である座面が第２収納部の当接面に当接するように、第２保持部のビス受座によりビスが所定高さに維持されている。即ち、ビス頭部の裏面である座面の位置が当該第１収納部及び第２収納部の当接面の高さと一致するように、ビスの頭部が底上げされている。これにより、ビス頭部の裏面である座面と第１収納部及び第２収納部の当接面とが面同士で当接することとなり、本体部が高い保持力を持って壁面に取り付けられる。このように、高い保持力で取り付けられるため、本体部に外力がかかったときに本体部が破損しにくい。
【０００６】
本発明の第２の構成では、第１の構成に加えて、第１ガイド溝と第２ガイド溝が一列に配列されており、壁面への取り付けの際、本体部は下方に向かってスライドされて固定される。かかる構成によれば、本体部は下方、即ち、重力方向にスライドさせればよいため、取り付けが一層容易となる。さらに、取り付けた状態では本体部には常に重力方向に力がかかるため、保持力が一層高まる。
【０００７】
本発明の第３の構成では、第１の構成又は第２の構成に加えて、本体部がその下面に、取付具の第１保持部が嵌入される第１凹部と、取付具の第２保持部が嵌入される第２凹部とを備える。取付具の第１保持部を本体部の第１凹部に嵌入し、取付具の第２保持部を本体部の第２凹部に嵌入して、取付具を本体部の下面に取り付け、取付具を第１保持部及び第２保持部が設けられる側と反対側が床面と接するように床面に設置することによって、本体部を床面に設置することが可能である。このように本体部は取付具を介して床面にも設置することができ、壁掛けと床置きの両用の取付具付き筐体となり、使い勝手がよい。さらに、このような構成によれば、本体部を前記取付具に容易に取り付けることができるため、取り付け作業が一層容易となる。また、本体部には固定用の突起部が設けられないため、破損等が生じにくく、見栄えもよい。
以下、図面を参照しながら本発明をより詳細に説明する。
【発明を実施するための最良の形態】
【０００８】
本発明の実施例に係る取付具付き筐体１の背面斜視図を図１に示す。取付具付き筐体１は、ＬＡＮルーター又は無線アクセスポイント用の筐体である。図１に示すように、取付具付き筐体１は本体部２と取付具３からなる。なお、図１は本体部２の背面に取付具３を取り付けた状態を示し、図中矢印Ｂは壁面への取り付け方向を示す。
図２に本体部２の背面斜視図を示す。図２を参照しながら、本体部２について説明する。この例では本体部２の材料にはＡＢＳ樹脂を用いた。本体部２の形状は概ね平面視で一辺が約２００ｍｍの矩形であって、左右側辺は若干内側に湾曲した凹曲面となっている。本体部２の背面には、第１ガイド溝１１、第２ガイド溝１２、係合孔１３が設けられる。第１ガイド溝１１は、仮想中央線１１０に沿う方向に延在する凹部であって、ビス頭部挿入部１４、ビス軸部ガイド部１５、ビス頭部収納部１６、及びガイド凹部１７からなる。なお、仮想中央線１１０は本体部２の背壁の中心を通り本体部２の縦方向に平行な仮想線である。ビス頭部挿入部１４は直径約１０ｍｍ、深さ約１０ｍｍの部分円筒形の凹部であって、その直径は後述のビスの頭部の直径よりも若干大きい。これにより、ビス頭部挿入部１４に後述のビスの頭部を挿入することができる。ビス頭部挿入部１４の上端側にはビス軸部ガイド部１５がビス頭部挿入部１４に連続するように形成されている。ビス軸部ガイド部１５は仮想中央線１１０に沿って延在する長さ約１５ｍｍ、幅約３ｍｍ、深さ約１０ｍｍの帯状の凹部であって上端は円弧状の凹曲面となっている。後述の第１保持部５１を挿入しやすいようにビス頭部挿入部１４及びビス軸部ガイド部１５の壁面は第１保持部５１の側面に合わせて若干内側にテーパーしている。
【０００９】
図２において符号１４１で示すように、ビス頭部挿入部１４の壁面の内、平面視で上半分は切り欠かれており、ビス頭部挿入部１４の上段半分の厚さａは約２ｍｍである。同様に、符号１５１で示すようにビス頭部挿入部１４の上側に連続するビス軸部ガイド部１５の側壁も切り欠かれており、当該ビス軸部ガイド部１５の側壁の厚さｂは約２ｍｍである。これにより、ビス頭部挿入部１４の上段半分及びビス軸部ガイド部１５の背後にビス頭部収納部１６が形成される。このようにビスの頭部を収納するためのビス頭部収納部１６が第１ガイド溝１１の上端に備えられている。
ビス頭部挿入部１４の下側にはガイド凹部１７が形成されている。ガイド凹部１７は仮想中央線１１０に沿って延在する長さ約５ｍｍ、幅約３ｍｍ、深さ約１０ｍｍの帯状のガイド凹部１７１と、その下方に連続する長さ約３５ｍｍ、幅約３ｍｍ、深さ約１ｍｍの帯状のガイド凹部１７２からなる。ガイド凹部１７２の上端１７３は平面視で直線状となっており、下端は円弧状の凹曲面となっている。このように形成されたガイド凹部１７では、後述の第１保持部５１（図３参照）を第１ガイド溝１１に挿入する際、第１保持部５１が当該ガイド凹部１７に沿ってビス頭部挿入部１４側に移動するためのガイドとして機能する。
【００１０】
図２に示すように、第２ガイド溝１２は第１ガイド溝１１と同様に仮想中央線１１０に沿う方向に延在する凹部であり、第２ガイド溝１２は第１ガイド溝１１と一列に配列している。第２ガイド溝１２はビス頭部挿入部１８、ビス軸部ガイド部１９、ビス頭部収納部２０、及びガイド凹部２１からなる。ビス頭部挿入部１８、ビス軸部ガイド部１９及びビス頭部収納部２０はそれぞれ、第１ガイド溝１１のビス頭部挿入部１４、ビス軸部ガイド部１５、ビス頭部収納部１６と同様に形成されている。ガイド凹部２１は仮想中央線１１０に沿って延在する長さ約１０ｍｍ、幅約３ｍｍ、深さ約１０ｍｍの帯状のガイド凹部２１１と、その下方に連続する長さ約２０ｍｍ、幅約３ｍｍ、深さ約１ｍｍの帯状のガイド凹部２１２からなる。ガイド凹部２１１の下端２１３は平面視で円弧状の凹曲面となっている。このように形成されたガイド凹部２１では、後述の第２保持部５２（図３参照）を第２ガイド溝１２に挿入する際、第２保持部５２が当該ガイド凹部２１に沿ってビス頭部挿入部１８側に移動するためのガイドとして機能する。第１ガイド溝１１の上方には係合孔１３が、仮想中央線１１０を対称軸として線対称に２個設けられる。係合孔１３は深さ約１０ｍｍの凹部であって、その内腔が上方に向かってＬ字型に屈曲している。後述のように、係合孔１３には後述の係合突起部５４（図３参照）が挿入され、本体部２を下方にスライドするのに伴って当該係合突起部５４が係合孔１３に係合する。
【００１１】
図２に示すように、本体部２の下面には、係合孔４０、第１凹部４１、第２凹部４２、係止凹部４３が設けられる。係合孔４０は本体部２の側面（紙面右）側に２個設けられる。第１凹部４１は後述の第１保持部５１（図３参照）の外形よりも若干大きい形状の凹部である。第２凹部４２は後述の第２保持部５２（図３参照）の外形に沿って形成されている。第２凹部４２の、係合孔４０と反対側の側部には、２つの係止爪４４が対向するように形成されている。
【００１２】
取付具３について図３及び図４を参照しながら説明する。図３に取付具３の斜視図を示し、図４にビス止めされた状態の取付具３の正面図を示す。取付具３はＡＢＳ樹脂製である。図３に示すように、取付具３は枠状部４と固定部５とからなる。枠状部４の外形は、平面視で概ね縦長の矩形で、上端辺がその中央位置で上方へ突出するようになだらかに湾曲している。枠状部４の裏面４１は平面となっており、使用時に壁面又は床面と面同士で接する。固定部５は枠状部４の長手方向に沿って、枠状部４の中央に帯状に設けられる。固定部５は第１保持部５１、第２保持部５２、固定部係合爪５３、係合突起部５４を備える。第１保持部５１は、固定部５の中央を通って固定部５の長手方向に平行な仮想中央線５０１上で且つ、取付具３の上部に配置される。第１保持部５１は、前方ガイド部５１１、後方ガイド部５１２、及びビス受座５１３からなる。前方ガイド部５１１の形状は固定部５の正面から略垂直に突出した柱状体であって、その高さｅは約１０ｍｍ、幅ｄは約３ｍｍである。前方ガイド部５１１はその頂点に向かって若干先細りとなるように側面が若干テーパーしている。後方ガイド部５１２はビス保持部５１の下端に設けられる。後方ガイド部５１２の形状も前方ガイド部５１１と同様に固定部５の正面から略垂直に突出した柱状体であって、その高さ及び幅は前方ガイド部５１１と同一である。ビス受座５１３の形状は固定部５の正面から膨出した帯形状であって高さｃは約２ｍｍ、幅ｄは約３ｍｍである。ビス受座５１３の中央にはビス取り付け用孔５１４が穿孔されている。ビス取り付け用孔５１４は直径約３ｍｍの貫通孔である。以上の配置により、前方ガイド部５１１、後方ガイド部５１２はビス受座５１３を挟んで、後述のように本体部２をスライドする方向に平行な直線状に設けられることとなる。
【００１３】
図３に示すように、第２保持部５２は仮想中央線５０１上で且つ取付具３の下部に配置される。第２保持部５２は、前方ガイド部５２１、後方ガイド部５２２、及びビス受座５２３からなる。ビス受座５２３にはビス取り付け用孔５２４が設けられている。前方ガイド部５２１、後方ガイド部５２２、ビス受座５２３、及びビス取り付け用孔５２４はそれぞれ、第１保持部５１の前方ガイド部５１１、後方ガイド部５１２、ビス受座５１３、及びビス取り付け用孔５１４と同様に形成される。なお、後方ガイド部５２２の形状は、後方ガイド部５１２よりも下端が下方に延出した形状となっており、当該延出部の根本部は左右から切り欠かれて係止凹部５２５が形成されている。
【００１４】
図３に示すように、係合突起部５４は第１保持部５１の上方に、仮想中央線５０１を対称軸として左右対称に２個設けられる。係合突起部５４はその高さが約１０ｍｍで、Ｌ字型に上方へ屈曲している。係合突起部５４は既述のように係合孔１３（図２参照）に挿入されてこれに係合する。固定部係合爪５３は仮想中央線５０１上で且つ、第１保持部５１の前方ガイド部５１１の下方に形成されている。
【００１５】
次に取付具付き筐体１を壁面へ取り付ける場合について説明する。まず、図３に示すように、取付具３の第１のビス取り付け用孔５１４と第２のビス取り付け用孔５２４に、図４に示すようにビス１００を挿通して取付具３を壁面に固定する。なお、本実施例ではビス１００のビス頭はなべ型のものを採用したが、これに限定されず、さら型、トラス型など、公知のものを採用することができる。ビス１００のビス頭の直径ｆは約１０ｍｍであり、前方ガイド部５１１及び後方ガイド部５１２の幅ｄ（３ｍｍ）よりも大きい。次に本体部２の第１ガイド溝１１（図２参照）に第１保持部５１が嵌入し、第２ガイド溝１２（図２参照）に第２保持部５２が嵌入するように、本体部２を取付具３にあてがう。その後、本体部２を下方にスライドさせることにより、本体部２が取付具３に取り付けられる（図１参照）。これにより、本体部２が矢印Ｂ（図１参照）で示す方向にある壁面に固定されることとなる。このように本体部２はスライドさせるだけで壁面に取り付けできる。取り外す際は本体部２（図２参照）を上方にスライドさせ、第１ガイド溝１１（図２参照）に嵌入されている第１保持部５１及び、第２ガイド溝１２（図２参照）に嵌入されている第２保持部５２をそれぞれ取り外すだけでよい。このように本体部２の取り付け及び取り外しが容易である。
【００１６】
図５に第１ガイド溝１１に第１保持部５１が嵌入した状態を示す図４におけるＡ−Ａ線位置の断面図を示し、図６に第１ガイド溝１１に第１保持部５１が嵌入した後、本体部２を下方にスライドさせた状態を示す図４におけるＡ−Ａ線位置の線断面図を示す。図５、図６を参照しながら本体部２の取り付け方法をより詳細に説明する。図５に示すように、ビス１００の頭部は第１保持部５１のビス受座５１３により底上げされた状態となっており、ビス１００の座面（頭部の裏面）１０１は、図５の符号ａで示すように固定部５の上面から約２ｍｍ高い位置で維持されている。第１保持部５１を第１ガイド溝１１に嵌入することにより、ビス１００の頭部が第１ガイド溝１１のビス頭部挿入部１４を介して本体部２の内側に挿入される。次に、本体部２を下方にスライドさせると、図６に示すように、第１保持部５１が第１ガイド溝１１内を上方にスライドし、第１保持部５１の前方ガイド５１１がビス軸部ガイド部１５の上側面１５２に当接する。これにより、ビス１００は第１ガイド溝１１に沿って、ビス軸部ガイド部１５に移動し、ビス１００の頭部がビス頭部収納部１６に収納される。その結果、ビス１００の座面１０１と固定部５の上面との間にビス頭部収納部１６の嵌入部１６０が嵌入する。ビス軸部ガイド部１５の側壁の厚さｂ、即ちビス頭部収納部１６の嵌入部１６０の厚さｂは約２ｍｍであり、座面１０１は固定部５の上面から約２ｍｍ高い位置で維持されているため、座面１０１と固定部５の上面との間に嵌入した嵌入部１６０の上面（当接面）１６１が座面１０１に面同士で当接することとなる。これにより、上面（当接面）１６１はビス１００の座面１０１に対する受座として機能し、ビス１００により本体部２が固定されることとなる。その結果、本体部２が壁面へ高い保持力をもって取り付けされる。高い保持力で取り付けられるため、本体部２に外力がかかったときに本体部２が破損しにくい。第２ガイド溝１２（図２参照）においても第１ガイド溝１１と同様にして、ビス１００がビス頭部収納部２０に収納され、ビス１００により本体部２が固定される。このように２箇所で固定することにより、本体部２の保持力が向上するとともに安定性が向上する。また、本体部２が固定された状態において、固定部係合爪５３（図３参照）はガイド凹部１７２の上端１７３（図２参照）に係合する。これにより、本体部２が上方へ不用意に位置ずれすることが防止され、一層安定して固定されることとなる。さらに、第１保持部５１及び第２保持部５２を第１ガイド溝１１及び第２ガイド溝１２へそれぞれ挿入する際、係合突起部５４（図３参照）が係合孔１３（図２参照）に挿入され、本体部２を下方にスライドするのに伴って係合孔１３に係合する。このように、係合突起部５４及び係合孔１３は本体部２を下方にスライドする際のガイドとして機能する。これにより、本体部２を取り付ける際、スムーズに本体部２をスライドさせることができ、一層容易に取り付けることができる。また、取り付け後の安定性が向上する。
【００１７】
図５に示すように、第１保持部５１において、前方ガイド部５１１の頂部はビス１００の頭部よりも固定部５から突出している（図示しないが、後方ガイド部５１２の頂部も同様にビス１００の頭部よりも固定部５から突出している）。これにより、本体部２を取り付ける際に、ビス１００の頭部が本体部２に接触せず、本体部２に傷をつけない。従って、破損や保持力の低下を防止できる。第１保持部１１と同様に第２保持部１２もビス１００の頭部が本体部２に接触せず、本体部２に傷をつけない。
【００１８】
図７に床置き状態の取付具付き筐体１の斜視図を参照しながら、取付具付き筐体１を床面に設置する場合について説明する。まず、取付具３の裏面４１（図３参照）が床面側となるように取付具３を床面に設置する。続いて、本体部２の底面の係合孔４０（図２参照）に、取付具３の係合突起部５４（図３参照）を係合させた後、当該係合部を支点として本体部２を取付具３側に回動させる。これにより、第１保持部５１（図３参照）が第１の凹部４１（図２参照）に嵌入し、第２保持部５２（図３参照）が第１の嵌入孔４２（図２参照）に嵌入して、本体部２の底面が取付具３の固定部５に当接し、図７に示すように本体部２が床に縦置きされることとなる。さらに、第２の凹部４２に設けられた２つの係止爪４４（図２参照）が、第２保持部５２の係止凹部５２５（図３参照）に係止して、本体部２から取付具３が容易に脱落することが防止される。また、取付具３の固定部係合爪５３（図３参照）が係止凹部４３（図２参照）に係止される。これにより、本体部２の位置ずれが防止される。このように、取付具付き筐体１は簡易な構成にもかかわらず、壁掛けと床置きの両用となる。実施態様では床に設置したがこれに限定されず、机や棚などの水平な面上であれば設置することができる。
【００１９】
本実施例では、本体部２の背面の仮想中央線１１０に沿って設けた第１ガイド溝５１及び第２ガイド溝５２（図２参照）により本体部２を固定したが、第１ガイド溝及び第２ガイド溝の配置はこれに限定されない。本発明の第１の変形態様である取付具付き筐体の本体部１８０の背面図を図８に示し、取付具１９０の正面図を図９に示す。
図８に示すように、本体部１８０の背面には、第１ガイド溝１８１、第２ガイド溝１８２、係合孔１８３が設けられる。第１ガイド溝１８１及び第２ガイド溝１８２の構成は、本体部２の第２ガイド部１２（図３参照）の構成と同様である。本体部２の第２ガイド部１２は仮想中央線１１０に沿って設けられるが、第１ガイド溝１８１は本体部１８０の背面の中心を通って本体部１８０の幅方向に平行に延びる仮想線１８４上の本体部１８０の背面左側部に設けられ、仮想線１８４に垂直に延びる仮想線１８５に沿って形成されている。一方、第２ガイド溝１８２は仮想線１８４上の本体部１８０の背面右側部に設けられ、仮想線１８４に垂直に延びる仮想線１８６に沿って形成されている。係合孔１８３は本体部１８０の背面中央に形成されている。なお、当該変形例では、仮想線１８４は本体部１８０の背面の中心を通って本体部１８０の幅方向に平行に延びるが、これに限定されず、本体部１８０の背面の中心と本体部１８０の上端との間の任意の位置を通って本体部１８０の幅方向に平行に延びることにしてもよい。また、係合孔１８３は本体部１８０の背面中央に形成したが、これに限定されるものではなく、後述の固定部係合爪１８５（図９参照）の配置に対応する位置に設けられるものである。
【００２０】
図９に示すように、取付具１９０は枠状部１９１、固定部１９２からなり、その外形は取付具３と略同一である。固定部１９２には第１保持部１９３、第２保持部１９４、固定部係合爪１９５が設けられる。第１保持部１９３、第２保持部１９４の構成は、取付具３の第１保持部５１（図３参照）と同様である。第１保持部５１は仮想中央線５０１に沿って設けられるが、第１保持部１９３は固定部１９２の中心を通り固定部１９２の長手方向に平行な仮想中央線１９６上の取付具１９０の右側部に設けられ、仮想中央線１９６に垂直に延びる仮想線１９７に沿って形成されている。第２保持部１９４は仮想中央線１９６上の取付具１９０の左側部に設けられ、仮想中央線１９６に垂直に延びる仮想線１９８に沿って形成されている。このように形成された第１保持部１９３、第２保持部１９４はそれぞれ、本体部１８０の背面の第１ガイド溝１８１、第２ガイド溝１８２に対応する位置に設けられる。固定部係合爪１９５は固定部１９２の中心に形成される。なお、固定部係合爪１９５の配置はこれに限定されず、本体部１８０の係合孔１８３（図８参照）の位置を考慮して固定部１９２の任意の位置に設けることができる。
【００２１】
次に本体部１８０の取付方法を説明する。まず、図９に示すように、取付具１９０をビス２００で壁面に固定し、本体部１８０の第１ガイド溝１８１に第１保持部１９３を嵌入させ、第２ガイド溝１８２に第２保持部１９４を嵌入させた後、本体部１８０を下方にスライドする。これにより本体部１８０が壁面に固定される。尚、本変形態様の取付具付き筐体においても、取付具付き筐体１と同等の効果を奏する。
【００２２】
次に、本発明の他の変形態様である取付具付き筐体について説明する。当該取付具付き筐体は図１０に示す本体部３００と、図１１に示す取付具４００からなる。
図１０に示すように、本体部３００は概して平面視で矩形であって、左右側辺が若干内側に湾曲している。本体部３００の背面には、第１保持部３１０、第２保持部３２０が設けられる。第１保持部３１０は、本体部３００の中央を通り本体部３００の上下方向に平行な仮想中央線３０１に沿って、本体部３００の背面の上部に設けられる。第１保持部３１０は取付具付き筐体１の本体部２における第２保持部１２（図２参照）と同様の構成であって、第１保持部３１０のビス頭部挿入部３１１、ビス軸部ガイド部３１２、ビス頭部収納部３１３及びガイド凹部３１４はそれぞれ、第２保持部１２（図２参照）のビス頭部挿入部１８、ビス軸部ガイド部１９、ビス頭部収納部２０及びガイド凹部２１に対応する。
一方、第２保持部３２０は、仮想中央線３０１に沿って、本体部３００の背面の下部に設けられる。第２保持部３２０も取付具付き筐体１の本体部２における第２保持部１２（図２参照）と同様の構成であって、第２保持部３２０のビス頭部挿入部３２１、ビス軸部ガイド部３２２、ビス頭部収納部３２３及びガイド凹部３２４はそれぞれ、第２保持部１２（図２参照）のビス頭部挿入部１８、ビス軸部ガイド部１９、ビス頭部収納部２０及びガイド凹部２１に対応する。
【００２３】
次に図１１に示すように、取付具４００は枠状部４０１と固定部４０２からなる。枠状部４０１の形状は略矩形の枠状で、上部及び下部が外側にわずかに湾出した形状である。固定部４０２の形状は帯状であって、中央を通って枠状部４０１の上下方向に平行に設けられる。固定部４０２には、第１ガイド部４０３と第２ガイド部４０４が設けられる。第１ガイド部４０３は、固定部４０２の中心を通り、固定部４０２の長手方向に平行な仮想中央線４０５に沿って、固定部４０２の上部に設けられる。第１ガイド部４０３は、取付具付き筐体１の取付具３における第１ガイド部５１（図３参照）と同様の構成であって、第１ガイド部４０３の前方ガイド部４０６、後方ガイド部４０７、ビス受座４０８及びビス取り付け用孔４０９はそれぞれ、第１ガイド部５１（図３参照）の前方ガイド部５１１、後方ガイド部５１２、ビス受座５１３及びビス取り付け用孔５１４に対応する。
一方、第２ガイド部４０４は、固定部４０２の中心を通り、固定部４０２の長手方向に平行な仮想中央線４０５に沿って、固定部４０２の下部に設けられる。第１ガイド部４０３も付具付き筐体１の取付具３における第１ガイド部５１（図３参照）と同様の構成であって、第２ガイド部４０４の前方ガイド部４１０、後方ガイド部４１１、ビス受座４１２及びビス取り付け用孔４１３はそれぞれ、第１ガイド部５１（図３参照）の前方ガイド部５１１、後方ガイド部５１２、ビス受座５１３及びビス取り付け用孔５１４に対応する。以上のように設けられた第１ガイド部４０３と第２ガイド部４０４はそれぞれ、本体部３００（図１０参照）の第１保持部３１０、第２保持部３２０に対応する位置に設けられることとなる。
以上に示した本体部３００（図１０参照）と取付具４００からなる取付具付き筐体は、取付具付き筐体１（図１参照）と同様に壁面に取り付けられ、取付具付き筐体１と同等の効果を奏する。
【００２４】
上記３つの実施例では、本体部を下方にスライドさせる構成を示したが、これに限定されず、本体部を横方向、斜め方向にスライドさせる構成を採用することもできる。また、第１ガイド溝及び第２ガイド溝を所定の仮想円に沿って形成して、これに対応するように取付具に第１保持部及び第２保持部を設けて、本体部を回転方向にスライドさせる構成とすることもできる。また、本体部が第３ガイド溝、第４ガイド溝をさらに備え、これに対応するように取付具が第３保持部、第４保持部を備える構成とすることもできる。
【産業上の利用可能性】
【００２５】
本発明の筐体は、ハードディスクドライブ、無線ＬＡＮ装置、ターミナルアダプタ装置、ルーター装置等、各種電子機器を収容する筐体として利用可能である。
【００２６】
この発明は、上記発明の実施の形態及び実施例の説明に何ら限定されるものではない。特許請求の範囲の記載を逸脱せず、当業者が容易に想到できる範囲で種々の変形態様もこの発明に含まれる。
本明細書の中で明示した論文、公開特許公報、及び特許公報などの内容は、その全ての内容を援用によって引用することとする。
【図面の簡単な説明】
【００２７】
【図１】図１は取付具付き筐体１を壁面に取り付けた状態における一部透過背面斜視図である。
【図２】図２は本体部２の背面斜視図である。
【図３】図３は取付具３の斜視図である。
【図４】図４はビス止めされた状態の取付具３の正面図である。
【図５】図５は第１ガイド溝１１に第１保持部５１が嵌入した状態を示す図４におけるＡ−Ａ線位置の断面図である。
【図６】図６は第１ガイド溝１１に第１保持部５１が嵌入した後、本体部２を下方にスライドさせた状態を示す図４におけるＡ−Ａ線位置の線断面図である。
【図７】図７は床置き状態の取付具付き筐体１の斜視図である。
【図８】図８は本体部１８０の背面図である。
【図９】図９は取付具１９０の正面図である。
【図１０】図１０は本体部３００の背面図である。
【図１１】図１１は取付具４００の斜視図である。
【符号の説明】
【００２８】
１  取付具付き筐体
２、１８０、３００  本体部
３、１９０、４００  取付具
４、１８１、４０１  枠状部
５、１８２、４０２  固定部
１１、１８１、３１０  第１ガイド溝
１２、１８２、３２０  第２ガイド溝
１３、１８３  係合孔
１４、１８、３１１、３２１  ビス頭部挿入部
１５、１９、３１２、３２２  ビス軸部ガイド部
１６、２０、３１３、３２３  ビス頭部収納部
１７、１７１、１７２、２１、２１１、２１２、３１４、３２４  ガイド凹部
４０  係合孔
４１  第１凹部
４２  第２凹部
４３  係止凹部
５１、１９３、４０３  第１保持部
５２、１９４、４０４  第２保持部
５３、１９５  固定部係合爪
５４  係合突起部
５１１、５２１、４０６、４１０  前方ガイド部
５１２、５２２、４０７、４１１  後方ガイド部
５１３、５２３、４０８、４１２  ビス受座
５１４、５２４、４０９、４１３  ビス取り付け用孔
１００、２００  ビス
１０１  ビスの座面
【図１】
2010067631.tif 000003
【図２】
2010067631.tif 000004
【図３】
2010067631.tif 000005
【図４】
2010067631.tif 000006
【図５】
2010067631.tif 000007
【図６】
2010067631.tif 000008
【図７】
2010067631.tif 000009
【図８】
2010067631.tif 000010
【図９】
2010067631.tif 000011
【図１０】
2010067631.tif 000012
【図１１】
2010067631.tif 000013